(57)【特許請求の範囲】
【請求項１】
一方の面に刻印又は印刷された図形と、側面に対峙して配設された光源とを有する複数の透明パネルが、前記一方の面を同一方向へ差し向けて積層された透明パネル積層体と、透明パネル毎に独立して光源に通電する通電装置とを備え、各透明パネルの光源に対峙する側面が積層して透明パネル積層体の一つの直線状側面を形成し、光源に対峙する透明パネル側面は光源近傍の入射窓を除いてマスキングされ、透明パネル積層体の各層の入射窓は、隣接する層の入射窓から光源に対峙する透明パネル側面の延在方向にずれていることを特徴とする発光パネル。
【請求項２】
透明パネルは、同じ色の複数の光源を有することを特徴とする請求項１に記載の発光パネル。
【請求項３】
透明パネルは、色の異なる複数の光源を有することを特徴とする請求項１に記載の発光パネル。
【請求項４】
図形は直線であり、透明パネルの前記直線に略平行に延在する側面に対峙して光源が配設されていることを特徴とする請求項１乃至３の何れか１項に記載の発光パネル。
【発明の詳細な説明】
【０００１】
【発明の属する技術分野】
本発明は発光パネルに関するものである。
【０００２】
【従来の技術】
複数の図形を発光させて浮かび上がらせることができる透明な発光パネルが、遊技機、自動販売機、ショーケース等の覗き窓に使用されている。従来の発光パネルにおいては、複数の図形が同時に発光していた。
【０００３】
【発明が解決しようとする課題】
複数の図形を個別に発光させることができれば、遊技機、自動販売機、ショーケース等の顧客誘引力が向上する。
本発明は上記問題に鑑みてなされたものであり、複数の図形を個別に発光させることができる発光パネルを提供することを目的とする。
【０００４】
【課題を解決するための手段】
上記課題を解決するために、本発明においては、一方の面に刻印又は印刷された図形と、側面に対峙して配設された光源とを有する複数の透明パネルが、前記一方の面を同一方向へ差し向けて積層された透明パネル積層体と、透明パネル毎に独立して光源に通電する通電装置とを備え、各透明パネルの光源に対峙する側面が積層して透明パネル積層体の一つの直線状側面を形成し、光源に対峙する透明パネル側面は光源近傍の入射窓を除いてマスキングされ、透明パネル積層体の各層の入射窓は、隣接する層の入射窓から光源に対峙する透明パネル側面の延在方向にずれていることを特徴とする発光パネルを提供する。
光源から透明パネルの側面へ投射された光は、透明パネルの表面で全反射を繰り返しつつ透明パネル内を進行し、透明パネル表面の刻印面又は印刷面で反射して刻印面又は印刷面とは反対側の表面から透明パネル外へ投射される。この結果、透明パネル内に発光図形が浮かび上がる。透明パネル毎に独立して、光源からの光が投射されるので、透明パネル毎に独立して図形が発光する。この結果、複数の図形が個別に発光する。
本発明の好ましい態様においては、透明パネルは、同じ色の複数の光源を有する。
同じ色の複数の光源を適正な間隔で配設することにより、発光する図形の明度分布を均一化することができる。
本発明の好ましい態様においては、透明パネルは、色の異なる複数の光源を有する。
透明パネルが色の異なる複数の光源を有していれば、当該複数の光源を独立に発光させて複数の色を任意に組み合わせ、図形を任意の色に発光させることができる。
本発明の好ましい態様においては、図形は直線であり、透明パネルの前記直線に略平行に延在する側面に対峙して光源が配設されている。
図形が直線の場合は、透明パネルの前記直線に略平行に延在する側面に対峙して光源を配設することにより、直線を発光させることができる。
【０００５】
【発明の実施の形態】
本発明をスロットマシンのリール窓に適用した実施例を説明する。
図１に示すように、スロットマシンのリール窓１は、５枚の矩形透明パネル２ａ、２ｂ、２ｃ、２ｄ、２ｅの積層体として構成されている。パネル２ａ、２ｂ、２ｃの裏面に水平線３ａ、３ｂ、３ｃが刻印されている。パネル２ｄ、２ｅの裏面に斜線３ｄ、３ｅが刻印されている。水平線３ａ、３ｂ、３ｃ、斜線３ｄ、３ｅは、スロットマシンの入賞ラインを形成している。パネル２ａ、２ｂ、２ｃ、２ｄ、２ｅの、線３ａ、３ｂ、３ｃ、３ｄ、３ｅと略平行に延在する側面に対峙して、複数のＬＥＤ４ａ、４ｂ、４ｃ、４ｄ、４ｅが配設されている。ＬＥＤ４ａ、４ｂ、４ｃ、４ｄ、４ｅは、互いに離隔して配設されている。パネル２ａ、２ｂ、２ｃ、２ｄ、２ｅのＬＥＤ４ａ、４ｂ、４ｃ、４ｄ、４ｅに対峙する側面は、ＬＥＤ４ａ、４ｂ、４ｃ、４ｄ、４ｅ近傍の入射窓２ａ′、２ｂ′、２ｃ′、２ｄ′、２ｅ′を除いて、図１（ｃ）、（ｄ）でハッチングを施して示すように、マスキングされている。パネル２ａ、２ｂ、２ｃ、２ｄ、２ｅの裏面は、同一方向へ差し向けられている。パネル２ａ、２ｂ、２ｃ、２ｄ、２ｅは、複数のクリップ５により挟持されて、積層され、一体化されている。ＬＥＤ４ａ、４ｂ、４ｃ、４ｄ、４ｅに独立に通電する図示しない通電装置が配設されている。リール窓１は、透明パネル２ａの表面を遊技者へ差し向けて配設されている。
【０００６】
リール窓１においては、スロットマシンのメダル投入口にメダルが１枚投入されるとＬＥＤ４ｂに通電される。複数のＬＥＤ４ｂから透明パネル２ｂの側面へ投射された光は、対峙する側面のマスキングされていない部位を通って透明パネル２ｂ内に入射し、透明パネル２ｂの表面と裏面とで全反射を繰り返しつつ透明パネル２ｂ内を進行し、図２に示すように、水平線３ｂの刻印面で反射し、透明パネル２ｂの表面から透明パネル２ｂ外へ投射される。この結果、リール窓１を遊技者側から見ると、透明なリール窓１内に水平線３ｂが発光して浮かび上がる。複数のＬＥＤ４ｂは、適正な間隔で配設されているので、発光する水平線３ｂの明度分布は均一である。発呼ＬＥＤ４ｂは、隣接するＬＥＤ４ａ、４ｃから離隔しており、透明パネル２ａ、２ｂ、２ｃのＬＥＤ４ａ、４ｂ、４ｃに対峙する側面は、ＬＥＤ４ａ、４ｂ、４ｃ近傍を除いてマスキングされているので、ＬＥＤ４ｂから投射された光が、透明パネル２ａ、２ｃへ入射するおそれは無い。同様にして、スロットマシンのメダル投入口にメダルが２枚投入されるとＬＥＤ４ａ、４ｂ、４ｃに通電され、水平線３ａ、３ｂ、３ｃが発光し、スロットマシンのメダル投入口にメダルが３枚投入されるとＬＥＤ４ａ、４ｂ、４ｃ、４ｄ、４ｅに通電され、水平線３ａ、３ｂ、３ｃと斜線３ｄ、３ｅとが発光する。遊技者は、発光した線を視認することにより、投入メダル枚数を直ちに認識することができる。
リール窓１においては、リール停止時に３ａ〜３ｅの何れかの入賞ライン上に所定の絵柄が並んでいる場合、当該ラインが発光する。遊技者はリール窓１の発光状態を視認することにより、何れのラインで入賞しているかを直ちに認識することができる。
上記説明から分かるように、リール窓１においては、複数の入賞ラインが個別に発光するので、遊技者の興趣が促進され、遊技場の顧客吸引力が向上する。
【０００７】
以上本発明の実施例を説明したが、本発明は上記実施例に限定されない。
複数のＬＥＤ４ａ〜４ｅを、それぞれ赤、青、緑のＬＥＤの集合体として構成しても良い。赤、青、緑のＬＥＤをそれぞれ独立に発光させて赤、青、緑の色を任意に組み合わせることにより、線３ａ〜３ｅを任意の色に発光させることができ、遊技者の興趣を更に促進し、遊技場の顧客吸引力を更に向上させることができる。
図３に示すように、透明パネル２ａ〜２ｅの光源４ａ〜４ｅに対峙する側面の近傍を湾曲させて、前記側面を面外方向、より具体的には裏面方向へ差し向け、且つ隣接する透明パネルの前記側面の間に隙間を形成しても良い。
上記構成によれば、透明パネル２ａ〜２ｅの光源４ａ〜４ｅに対峙する側面が互いに離隔しているので、例えばＬＥＤ４ｃから透明パネル２ｃへ投射された光が、透明パネル２ｃに隣接する透明パネル２ｂ、２ｄへも入射するという事態の発生が防止され、水平線３ｂ〜３ｄが同時に発光するという事態の発生が防止される。従って、上記構成によれば、ＬＥＤの近傍部を除いて透明パネルのＬＥＤに対峙する側面をマスキングする必要がなくなる。
線３ａ〜３ｅの刻印部の断面形状は、光を反射させてパネル２ａ〜２ｅの表面へ差し向けることができる任意の形状で良い。
線３ａ〜３ｅを透明パネル２ａ〜２ｅの裏面に印刷しても良い。
光の反射を促進するために、線３ａ〜３ｅの刻印面を目粗ししても良い。
本発明に係る発光パネルは、スロットマシンのリール窓のみならず、自動販売機の電照パネル、ショーケースの正面パネル等、各種機器の覗き窓に使用可能である。この場合、刻印される図形は、線に限らず任意の図形で良い。
【０００８】
【発明の効果】
以上説明したごとく、本発明により、複数の図形を個別に発光させることができる発光パネルが提供される。
【図面の簡単な説明】
【図１】本発明が適用されたスロットマシンのリール窓の構造図である。（ａ）は正面図であり、（ｂ）は（ａ）のｂ−ｂ矢視図であり、（ｃ）は（ａ）のｃ−ｃ矢視図であり、（ｄ）は（ｃ）の楕円で囲んだ部分の拡大図である。
【図２】本発明が適用されたスロットマシンのリール窓を構成する透明パネルの側断面図である。
【図３】図１に示すリール窓の変形例の部分側断面図である。
【図１】
0004895244.tif 000002
【図２】
0004895244.tif 000003
【図３】
0004895244.tif 000004